(57)【要約】      （修正有）【課題】簡潔に、外見に影響すること無くドレスに取り付けることが可能で、有効にドレスのずれを防止することができる、ドレス用のずれ防止部材及びドレスを提供する。【解決手段】ドレスの上半身部内側に固定して用いられる部材であって、少なくともバスト下からウエスト下まで達する前胴部１と、着用者の背部で係止するための係止部４、４′を有する左右の後胴部２、３とを有し、前記前胴部１の端部及び／又はその近傍にボーン５が配設されており、前胴中心部及び左右脇腹部の内側に面状の滑り止め部材が設けられている。【選択図】図１
0003178738.tif 000002
【実用新案登録請求の範囲】
【請求項１】
ドレスの上半身部内側に取り付けて用いられる部材であって、
少なくともバスト下からウエスト下まで達する前胴部と、着用者の背部で係止するための係止部を有する左右の後胴部とを有し、前記前胴部の端部及び／又はその近傍にボーンが配設されており、
前胴中心部及び左右脇腹部の内側に面状の滑り止め部材が設けられていることを特徴とする、ドレス用ずれ防止部材。
【請求項２】
カップ部を有していることを特徴とする、請求項１に記載のドレス用ずれ防止部材。
【請求項３】
前記滑り止め部材が、シリコンメッシュ、ポリウレタンメッシュ及び／又はアクリル系織布であることを特徴とする、請求項１又は２に記載のドレス用ずれ防止部材。
【請求項４】
前記ボーン、前記前胴部及び後胴部の周縁に沿って取り付けられたテープ及び前記ボーンを固定するためのテープが、外側に取り付けられていることを特徴とする、請求項１〜３のいずれかに記載のドレス用ずれ防止部材。
【請求項５】
請求項１〜４のいずれかに記載のドレス用ずれ防止部材が取り付けられたドレス。
【考案の詳細な説明】
【技術分野】
【０００１】
本考案は、ドレスを着用した際に、ドレスがずれたり乱れたりすることを防止するためのずれ防止部材に関する。
【背景技術】
【０００２】
従来、ドレス、特にウエディングドレスのように床面まで達する裾丈のドレスは、ドレス自体が重いうえに、歩く際には裾と床面（多くの場合、絨毯フロア）との摩擦が大きくなるために、下方ないし後方にドレスがひっぱられて、ずれたり下がったりしてしまうという、「ずれ」や「乱れ」発生の問題があった。特に近年では、ベアトップやワンショルダータイプのドレスが主流であるところ、このようなタイプのドレスは肩紐によってドレスを支えることができない。肩紐のないドレスに透明のショルダーストラップを装着する方策もあるが、美的観点からは望ましくない。ゆえに、有効かつ簡単に、また外見への影響無く、ドレスのずれを防止することが望まれていた。
【０００３】
ドレスは多くの場合、体形補整機能を有するファンデーションの上に着用されるので、ファンデーションとドレスとを係止することで、ずれの発生を防止する方策が考案されている。このような方策の一つとしてファンデーションとドレスを直接縫着する方法があるが、レンタル衣装では縫着によって対応することができない。また、お色直し等で着替える毎に縫着し直すことは煩雑であり、好適な方法とはいえなかった。
【０００４】
また、ファンデーションの外面（ドレスと接する側）に滑り止めを設けたものが提案されている（特許文献１）。この発明は、スリーインワンやウェストニッパー等のファンデーションに、点状、線状、または全面に滑り止め部材を設けたものである。
しかしながら、ドレスのデコルテのデザインは多種多様であり、このような下着であらゆるデザインのドレスに対して滑り止め効果を得ることは難しい。さらに、ドレスはレンタルであってもファンデーションは着用者個人が購入することが通常であるところ、このような滑り止め付きファンデーションは他の用途がほとんど考えられず、需要者に受け入れられにくいものであった。
【先行技術文献】
【特許文献】
【０００５】
【特許文献１】特開２００７−２８４８５６
【考案の概要】
【考案が解決しようとする課題】
【０００６】
すなわち本考案は、簡潔に、外見に影響すること無くドレスに取り付けることが可能で、有効にドレスのずれや乱れを防止することができる、ドレス用のずれ防止部材を提供することを課題とする。
【課題を解決するための手段】
【０００７】
本考案者は、ドレスとファンデーションとが互いに滑りやすい素材で構成されていることでずれが発生しやすくなることに着目し、ドレスとファンデーションとの摩擦による係止力を大きくするために、ドレス内側に滑り止め部材を配すること、さらに、ドレスの上半身部の、特に前面や脇腹部の滑りを防止することで有効にずれ防止効果を得られることを見出し本考案に至った。
【０００８】
すなわち本考案は、ドレスの上半身部内側に取り付けて用いられる部材であって、少なくともバスト下からウエスト下まで達する前胴部と、着用者の背部で係止するための係止部を有する左右の後胴部とを有し、前記前胴部の端部及び／又はその近傍にボーンが配設されており、前胴中心部及び左右脇腹部の内側に面状の滑り止め部材が設けられていることを特徴とする、ドレス用ずれ防止部材に関する。
【０００９】
本考案のずれ防止部材は、前胴中心部と左右の脇腹部の内側（ファンデーションと接する側）に、面状の滑り止め部材を有しているため、滑り止め部材とファンデーションの接触面積が大きく、ずれ防止効果に優れるとともに、ずれ防止部材の外側（ドレスと接する側）には滑り止めがついていないため、ドレスの自然な動きを妨げたりドレスの外見の形態に影響を及ぼしたりすることがない。また、ボーンによって、ずれ防止部材の形態が維持されるため、ドレスとファンデーションの間でずれ防止部材がずれたりよれたりすることがなく、ずれ防止効果と着用感に優れ、また、着用者やドレスの自然なデコルテラインを損なうことがない。
【００１０】
本考案のずれ防止部材はまた、カップ部を有する形態であってもよい。カップ部を有すると、ファンデーションとずれ防止部材のついたドレスとの密着感が向上し、着用感がより向上する。また、カップ部周縁まで滑り止め部材を有することによって、滑り止めの面積が大きくなり、ずれ防止効果がより確実なものとなる。
【００１１】
また本考案のずれ防止部材は、滑り止め部材が、シリコンメッシュ、ポリウレタンメッシュ及び／又はアクリル系織布であればより好ましい。シリコン、ポリウレタンのメッシュやアクリル系の織布は薄く、柔軟性に優れ、若干の伸縮性を有するために着用時の違和感がなく、また、比較的摩擦係数が高いため滑り止め効果に優れる。さらに、繰り返し着用に耐える強度も有している。また、メッシュ素材とすることで通気性が確保され、着用時のむれが少なく、着用感がよい。
【００１２】
また本考案のずれ防止部材は、前記ボーン、前記前胴部及び後胴部の周縁に沿って取り付けられたテープ及び前記ボーンを固定するためのテープが、外側に取り付けられていることがより好ましい。ボーン及びテープ類を外側に配置すると、ずれ防止部材の内側表面の凹凸が少なくなり、滑り止め部材がより面一に近い状態になるので、滑り止め部材とファンデーションとの接触面積が向上し、ずれ防止効果が向上する。
【００１３】
また本考案は、前記のずれ防止部材が取り付けられたドレスに関する。本考案のずれ防止部材が取り付けられたドレスは、ずれ防止部材とファンデーションとの摩擦によってドレスのずれが防止され、着用者の動きや長時間の着用によるドレスの乱れが少ない。
【考案の効果】
【００１４】
本考案の部材によれば、ドレスのずれを確実・効果的に防止できる。また、本考案の部材はドレスのデザインに関わらずドレスの内側に取り付けて使用することができ、外見や着用感に影響を及ぼすことがない。さらに、ドレスに取り付けたずれ防止部材を取り外して交換することも可能であり、ドレスを美しい状態に維持管理することが容易になる。
【図面の簡単な説明】
【００１５】
【図１】本考案のずれ防止部材の一態様を表す図（外側・内側）である。
【図２】別の実施態様のずれ防止部材（外側・内側）である。
【図３】本考案のずれ防止部材とドレスとの重なりを表した図である。
【図４】本考案のずれ防止部材が取り付けられたドレスを着用した状態での斜視図及び断面図である。
【考案を実施するための形態】
【００１６】
以下、図面に基づいて、本考案に係るずれ防止部材について説明する。
図１はドレス用ずれ防止部材の実施態様の一つであり、図１Ａは、外側（ドレスと接する側）を表している。この部材はカップ部を有さず、前胴部１及び左右の後胴部２、３を有している。前胴部１はバスト下から腰上まで達する長さであり、後胴部と比較して前胴部が若干長く設計されている。後胴部の端には、互いに対応する係止部４、４´が形成されており、着用者の背中で係止できるようになっている。図１の例では、係止部は一般的な鉤ホックを８連に構成したものであるが、鉤ホックの数は例えば３連から１０連の間で増減させてもよいし、鉤ホック以外にも、ボタンや面ファスナー等、係止できる構造であれば特に制限されない。前胴部１および後胴部２、３を構成する基布の材質は伸縮性及び通気性を併せ持つ材質で構成されていれば特に限定されないが、例えばパワーネット、トリコットなど、ナイロン、ポリエステル、ポリウレタン等の化学繊維、綿、絹等の天然繊維、又はそれらの組み合わせを用いた編物、織物や網状布地を用いることができる。前胴部１や後胴部２、３はすべて同一の基布でもよいし、２種類以上の組み合わせであってもよい。前胴部１と後胴部２、３の境界部にはボーン５が設けられている。ボーン５には、ブラジャー等のファンデーションで常用されるプラスチックや軟質金属の成型体を用いることができ、ずれ防止部材の外側にテープ縫着によって固定されている。前胴部１、後胴部２、３の各パーツの辺縁は、伸縮性テープ６や非伸縮性テープ７によって形成・補強されており、これらのテープはいずれも、ずれ防止部材の外側から縫着や貼付等の方法によって取り付けられている。テープ類を外側に配して、滑り止め部材のある内側をなるべく面一に構成することで、ファンデーションとずれ防止部材との接触面積が大きくなり、ずれ防止効果をより高くすることが可能となる。
【００１７】
図１Ｂは、内側（ファンデーションと接する側）を表し、斜線で示した箇所が滑り止め部材である。前胴中心部８及び左右の脇腹部９、１０に滑り止め部材が縫着されており、滑り止め部材のある箇所では、基布と滑り止め部材とが二重になっている。滑り止め部材の材質は、通気性と若干の伸縮性があり、凹凸を有して摩擦係数の高い材質であれば特に制限されないが、具体的には例えば、シリコンメッシュ、ポリウレタンメッシュ等の樹脂成形メッシュや、ポリエステル繊維を芯とし、アクリル系樹脂を表面に有する伸縮性又は非伸縮性の糸から構成された、伸縮性又は非伸縮性の織布又は編地、超極細ポリエステル繊維を含む織物や編物（例えば、ナノフロント（登録商標）テープやナノフロント（登録商標）を含む織物又は編物）、ラテックスやウール等の摩擦係数の高い材料が交織された織地や編地、ポリウレタン弾性繊維に、ナイロン繊維、ポリエステル繊維等の化学繊維や、綿、麻、絹を原料とする天然繊維、又は、これらの複合繊維等をカバーリングしたポリウレタンカバーリングヤーンを含む布等を用いることができる。
【００１８】
図１の実施形態では、滑り止め部材の前胴中心部８と脇腹部９、１０とが、互いに分離して形成されているが、これらが連続して、脇腹から前胴周囲全体が滑り止め部材で覆われるようにすることもできる。前胴部と脇腹部の滑り止めが分離して形成されている場合には、柔軟性と追随性に優れ、着用感が良くなり、一方、全体が滑り止め部材で覆われている場合には、ずれ防止効果がより優れたものになる。また、図１の例では、滑り止め部材の前胴中心部８や脇腹部９、１０は、それぞれ連続する１つのパーツとして形成されているが、着用感や着用者の動作に対する追随性の向上のため、２つ以上に分割されていてもよい。例えば、前胴部８がさらに左右２つに分割されている態様や、脇腹部９、１０がウエスト近傍で上下２つに分割されている態様、あるいは、脇腹部９、１０がボーン５に沿って、又はボーン５の近傍で前脇腹部と後脇腹部とに２分割されている態様などがある。また、滑り止め部材をさらに背部に設けることも可能であり、この場合、背部の滑り止め部材は、脇腹部と連続していてもよく、分離して配設されていてもよい。
【００１９】
図２は、カップ部を有する態様のずれ防止部材を表している。図１と同様の構成は、同じ符号で示して説明を省略する。カップ部１１は、前胴部１、後胴部２、３と同じ材質でできていてもよいし、保形性を付与したい場合には、周知のファンデーションやブラジャーのカップのように、成形カップを用いることもできる。
【００２０】
本考案のずれ防止部材は、図１及び図２に示した形態以外にも、例えば、バスト下から下腹部まで覆う長さとすることもでき、或いは、より背中の開いたデザインのドレスにも取り付け可能とするために、脇から背にかけての刳りを深くすることも可能である等、ドレスのデザインや滑り止めの必要性に応じて様々に変更することができる。
【００２１】
図３は、ドレス１２の内側にずれ防止部材を取り付けたところを示している。ドレスとずれ防止部材の取り付け方法は特に限定されないが、例えば線状あるいは点状に縫着する方法や、クリップ、スナップ等の係止具を用いる方法がある。図３では、縫着点１３で縫い付けによって固定されている。縫着点を除いては、ドレスとずれ防止部材とが固定されていないため、ずれ防止部材によってドレスの動きが妨げられることがなく、ドレスの美しく自然な外見を損ねることがない。このドレスを着用する際には、まず、ずれ防止部材の係止部を係止し、続いてドレスの背中や脇に設けられたファスナーやボタンを留めて着用する。ずれ防止部材が点縫着やクリップ等で取り付けられている場合には、ずれ防止部材を容易にドレスから取り外すことが可能であるため、例えばずれ防止部材のみを交換したり、クリーニングしたり、或いは、一つのずれ防止部材を複数のドレスに付け替えて使用することや、不使用時には外して収納しておくこと等が可能である。
【００２２】
図４Ａはドレスを着用した状態の斜視図である。着用者はファンデーション１４（点線）の上からドレス１２を着用する。ドレス１２の内側には本考案のずれ防止部材が取り付けられており、前胴中心部８、脇腹部９、１０を其々斜線で示している。各滑り止め部材はドレスの動きに追随して動きながらも、ファンデーションと接触する箇所では、ファンデーションと滑り止め部材との間の摩擦によって動きが制限されるため、ドレス全体がずれたり下がったりすることが防止される。
【００２３】
図４Ｂは断面図であって、図の上方が外側（ドレス側）、下方が内側（着用者の身体側）に対応する。ファンデーション１４は着用者の身体に密着しており、ファンデーション１４の外側とずれ防止部材の滑り止め部８、９、１０とが密着し、滑り止め効果を発揮する。また、ずれ防止部材とドレス１２との間は、テープに包まれて固定されたボーン５があるために、密着度が低減されており、ドレスの動きが妨げられないようになっている。
【符号の説明】
【００２４】
１  前胴部
２、３  後胴部
４、４´  係止部
５  ボーン
６  伸縮テープ
７  非伸縮テープ
８  前胴中心部
９、１０  脇腹部
１１  カップ部
１２  ドレス
１３  縫着点
１４  ファンデーション
【図１】
0003178738.tif 000003
【図２】
0003178738.tif 000004
【図３】
0003178738.tif 000005
【図４】
0003178738.tif 000006